(57)【要約】【課題】スクリーンパネルをレジカウンターから上方に向けスライドさせることで、身体的危害を加えることなく、安全かつ確実にレジカウンター内を強盗から遮断可能とするための防犯システムの提供を図る。【解決手段】コンビニエンスストアその他の店舗における店舗レジカウンター防犯システムであって、レジカウンター１下方にスクリーンパネル１０が内蔵されているとともに、該レジカウンター１から天井２までガイドレール１２が備えられて成り、レジカウンター１内の起動スイッチ２０を操作することで、前記スクリーンパネル１０がガイドレール１２に沿って上方へスライドしてレジカウンター１を天井２付近まで外部から遮断する構成となっている。【選択図】図１
2014117373.tif 000002
【特許請求の範囲】
【請求項１】
コンビニエンスストアその他の店舗における防犯システムであって、
レジカウンター下方にスクリーンパネルが内蔵されているとともに、該レジカウンターから天井までガイドレールが備えられて成り、
レジカウンター内の起動スイッチを操作することで、前記スクリーンパネルがガイドレールに沿って上方へスライドしてレジカウンターを天井付近まで外部から遮断することを特徴とする店舗レジカウンター防犯システム。
【請求項２】
前記店舗レジカウンター防犯システムにおいて、
前記スクリーンパネルが、防弾機能を有していることを特徴とする請求項１に記載の店舗レジカウンター防犯システム。
【請求項３】
前記店舗レジカウンター防犯システムにおいて、
前記起動スイッチを操作した際、前記スクリーンパネルのスライドと同時に店舗入口の施錠が為されることを特徴とする請求項１または請求項２に記載の店舗レジカウンター防犯システム。
【請求項４】
前記店舗レジカウンター防犯システムにおいて、
前記起動スイッチを操作した際、前記スクリーンパネルのスライドと同時に店舗外に装備された警報装置が作動することを特徴とする請求項１から請求項３のいずれかに記載の店舗レジカウンター防犯システム。
【請求項５】
前記店舗レジカウンター防犯システムにおいて、
前記起動スイッチを操作した際、前記スクリーンパネルのスライドと同時に警察若しくは契約警備会社へ自動的に通報が為されることを特徴とする請求項１から請求項４のいずれかに記載の店舗レジカウンター防犯システム。
【発明の詳細な説明】
【技術分野】
【０００１】
本発明は、レジカウンターを備える店舗の防犯システムに関するものである。
【背景技術】
【０００２】
近来、コンビニエンスストア、レンタルショップなどの店舗に押し入る強盗が多くなってきており、白昼や夜間に店舗のレジカウンターにおいて、銃や刃物で威嚇しつつ金品を要求するケースが多くなっている。このとき、店員が強盗の要求に応じない場合、強盗がレジカウンターを乗り越えてカウンター内部に侵入するケースもあり、店員の身体や生命にも危険が生じる恐れが考え得る。
【０００３】
かかる強盗対策として、従来よりブザーやカラーボール等で防護する手段がとられていた。しかしながら、店員がブザーやカラーボールにより反撃を試みた場合に、かえって強盗の気を逆なでる危険があり、かつ、強盗と終始対面している店員にとって、自身の生命の危険という恐怖感もあって、結果思うように行動できない恐れが考え得る。
【０００４】
強盗にあった際にまず初めに為すべきことは、店員の安全を確保することである。これにより、店員は安心して通報その他の次の手を打つことが可能となる。そこで従来、特開２０１１−２２６７４６号公報（特許文献１）や特開２００５−２７４１１２号公報（特許文献２）に記載されているように、強盗にあった際にレジカウンター上方の天井方向から遮断板が落下して、該レジカウンター内を強盗から遮断する装置が提案されている。
【０００５】
しかしながら、特許文献１や特許文献２にかかる提案は、上方から遮断板が落下するため、レジカウンターと遮断板との間に店員若しくは強盗の身体の一部が挟まる危険があり、遮断板の重量や落下スピードによっては、挟まった身体を損傷する恐れが考えられる。また、レジカウンター上に何らかの商品その他の障害物が置かれていた場合に、遮断板が該障害物に引っ掛かって完全に閉まることなく、レジカウンターから浮いた状態となってしまう場合も想定される。さらには、遮断板がレジカウンターへ落下するまでに始動から多少のタイムラグを生じるため、強盗の反応如何では、そのわずかな時間で遮断板とレジカウンターとの間に何らかの障害物を挟み込んで、遮断板が完全に閉まるのを防ぐ場合も考えられる。
【先行技術文献】
【特許文献】
【０００６】
【特許文献１】特開２０１１−２２６７４６号公報
【特許文献１】特開２００５−２７４１１２号公報
【発明の概要】
【発明が解決しようとする課題】
【０００７】
本発明は、上記問題点に鑑み、スクリーンパネルをレジカウンターから上方に向けスライドさせることで、身体的危害を加えることなく、安全かつ確実にレジカウンター内を強盗から遮断可能とするための防犯システムを提供することを課題とするものである。
【課題を解決するための手段】
【０００８】
上記課題を解決するため、本発明は、コンビニエンスストアその他の店舗における店舗レジカウンター防犯システムであって、レジカウンター下方にスクリーンパネルが内蔵されているとともに、該レジカウンターから天井までガイドレールが備えられて成り、レジカウンター内の起動スイッチを操作することで、前記スクリーンパネルがガイドレールに沿って上方へスライドしてレジカウンターを天井付近まで外部から遮断する構成となっている。
【０００９】
また、本発明は、前記店舗レジカウンター防犯システムにおいて、前記スクリーンパネルが、防弾機能を有している構成を採用し得る。
【００１０】
さらに、本発明は、前記店舗レジカウンター防犯システムにおいて、前記起動スイッチを操作した際、前記スクリーンパネルのスライドと同時に店舗入口の施錠が為される構成を採用することもできる。
【００１１】
またさらに、本発明は、前記店舗レジカウンター防犯システムにおいて、前記起動スイッチを操作した際、前記スクリーンパネルのスライドと同時に店舗外に装備された警報装置が作動する構成とすることも可能である。
【００１２】
そしてまた、本発明は、前記店舗レジカウンター防犯システムにおいて、前記起動スイッチを操作した際、前記スクリーンパネルのスライドと同時に警察若しくは契約警備会社へ自動的に通報が為される構成を採ることも考え得る。
【発明の効果】
【００１３】
本発明にかかる店舗レジカウンター防犯システムによれば、スクリーンパネルがレジカウンターから天井に向け上方へスライドする構成を採用することにより、該スクリーンパネルとレジカウンターとの間に店員や強盗の身体が挟まれることなく、身体への危害が加えられることがない。
【００１４】
また、本発明にかかる店舗レジカウンター防犯システムによれば、レジカウンター上に障害物があったとしても何ら関係なく、スクリーンパネルが障害物を押し退けて上方へスライドするため、該スクリーンパネルがレジカウンターから天井まで完全に閉まることが可能となり、レジカウンター内を外部から完全に遮断することできる。
【００１５】
さらに、本発明にかかる店舗レジカウンター防犯システムによれば、スクリーンパネルがレジカウンターから天井に向け上方へスライドする構成であるため、該スクリーンパネルとレジカウンターとの間に何らかの障害物を挟み込むことは不可能であって、レジカウンター内を外部から完全に遮断することが可能となる。
【００１６】
そしてまた、本発明にかかる店舗レジカウンター防犯システムによれば、スクリーンパネルがレジカウンターから天井に向け上方へスライドする構成であるため、仮に強盗がレジカウンター上に身を載り出していたとしても、スクリーンパネルが強盗をのけぞらせて上方へスライドすることとなって、確実にレジカウンター内の安全を確保することが可能となる。
【図面の簡単な説明】
【００１７】
【図１】本発明にかかる店舗レジカウンター防犯システムの実施形態を示す説明図である。
【図２】本発明にかかる店舗レジカウンター防犯システムの実施形態を示す説明図である。
【図３】本発明にかかる店舗レジカウンター防犯システムの実施形態を示す説明図である。
【図４】本発明にかかる店舗レジカウンター防犯システムの実施形態を示すシステム構成図である。
【発明を実施するための形態】
【００１８】
本発明の店舗レジカウンター防犯システムは、レジカウンター１内の起動スイッチ２０を操作することで、スクリーンパネル１０がガイドレール１２に沿って上方へスライドして、レジカウンター１を天井２付近まで外部から遮断することを最大の特徴とする。以下、本発明にかかる店舗レジカウンター防犯システムの実施形態を、図面に基づき説明する。
【００１９】
なお、本発明は、下記の実施例に示した構成・態様に限定されるものではなく、本発明の技術的思想の要旨に逸脱しない範囲で、任意に変更することができるものである。
【００２０】
図１乃至図４は、本発明にかかる店舗レジカウンター防犯システムの実施形態を示しており、図１はレジカウンター１外部からみた本発明の説明図、図２は本発明のガイドレール１２の要部説明図、図３はレジカウンター１上方からみた本発明の説明図、図４は本発明のシステム構成図である。
本発明にかかる店舗レジカウンター防犯システムは、図面に示すように、スクリーンパネル１０と、ガイドレール１２と、起動スイッチ２０と、から構成されている。
【００２１】
スクリーンパネル１０は、店舗におけるレジカウンター１の机上面より下方に内蔵された状態で備えられており、レジカウンター１の幅全体及びレジカウンター１の机上面から天井２付近までの高さ全体をカバーする大きさを有している。該スクリーンパネル１０は、一のレジカウンター１につき、全体が一枚のパネルから構成されてもよく、あるいは、複数のパネルを併設する構成も考え得る。
【００２２】
該スクリーンパネル１０の材質等については、特に限定はないが、上方へスライドさせるための重量や強度などを考慮すると、ある程度の厚み（例えば１０ｍｍ前後）を有するアクリル樹脂板や、薄くても丈夫な鋼板を用いることが考え得る。
なお、強盗が銃を所持している場合も考慮し、スクリーンパネル１０には防弾機能が備わっていることが望ましい。
また、スクリーンパネル１０による遮断後であっても、レジカウンター１内の店員が外部にいる強盗の動きを把握することが可能なように、該スクリーンパネル１０について透明若しくは半透明の素材により構成する態様が好ましい。
【００２３】
スクリーンパネル１０のスライドを案内すべく、レジカウンター１から天井２までガイドレール１２が備えられている。図２に示すように、該ガイドレール１２は、スクリーンパネル１０をスライドさせつつ上方へ案内すべく、一側方若しくは両側方にスライド溝１２ａが備えられ、該スライド溝１２ａにスクリーンパネル１０の端辺が嵌合される。
【００２４】
該ガイドレール１２は、少なくともレジカウンター１の両端に備えられることとなるが、上記スクリーンパネル１０が一のレジカウンター１に複数併設される場合には、該スクリーンパネル１０の数に応じて必要数が中間位置にも備えられることとなる。このとき、レジカウンター１の両端に備えられるガイドレール１２には、スライド溝１２ａが一側方にのみ備えられ、また、中間位置に備えられるガイドレール１２には、複数の側方にスライド溝１２ａが備えられる。
【００２５】
図３に示すように、レジカウンター１内には、前記スクリーンパネル１０のスライドを起動させるべく、所定箇所に起動スイッチ２０が設けられている。該起動スイッチ２０を設ける箇所については、レジカウンター１内であれば特に限定はないが、少なくとも外部から見えない位置に設けられ、かつ、レジカウンター１内の店員が操作し易い位置、例えばレジカウンター１の内側壁上方位置に設けることが望ましい。
【００２６】
該起動スイッチ２０は、一のレジカウンター１に少なくとも一つ設けられることとなるが、所定間隔を空けて複数設ける態様も考え得る。一のレジカウンター１に複数の起動スイッチ２０を設けることで、店員がレジカウンター１内のどの立ち位置にあっても、該起動スイッチ２０を瞬時に操作することが可能となる。
【００２７】
起動スイッチ２０を起動することで、スクリーンパネル１０が上方へスライドすることとなるが、かかる上方スライド動作のための機構については、特に限定はなく、例えば機械的にワイヤーによりスクリーンパネル１０を上方へ引っ張る態様が考え得る。この場合、ワイヤーの存在がレジカウンター１上で邪魔にならないよう、ガイドレール１２内にワイヤーが納まった状態で、スクリーンパネル１０の上辺両端にワイヤーの先端が接続される態様となる。
【００２８】
また、スクリーンパネル１０を上方へスライドさせる機構として、例えばガス圧によりスクリーンパネル１０を上方へ押し上げる態様も考え得る。この場合、スクリーンパネル１０の下辺にガス受面を設けると共に、該スクリーンパネル１０がレジカウンター１内に内蔵された状態でその下方に圧縮ガスの注入機構を設け、起動スイッチ２０の操作により圧縮ガスが膨張しつつ注入されることで、そのガスの圧力をガス受面が受けてスクリーンパネル１０が上方へスライドする態様となる。なお、スクリーンパネル１０のガス受面がガス圧を有効に受けられるよう、圧縮ガスの注入されるスペースには機密性が備わっていることが必須となる。
【００２９】
以上の通り構成される本発明の店舗レジカウンター防犯システムは、強盗にあった際に、レジカウンター１内に設けられた起動スイッチ２０を店員が操作することで、スクリーンパネル１０がガイドレール１２に沿って天井２付近まで上方スライドすることとなる。これにより、レジカウンター１内を天井２付近まで外部から遮断して強盗の侵入を防止することが可能となり、レジカウンター１内にいる店員の安全が確保される。このとき、レジカウンター１内への強盗の侵入防止機能に鑑みると、スクリーンパネル１０のスライド量について、天井２まで完全にスライドすることでレジカウンター１内を外部から完全に遮断する態様のほか、スクリーンパネル１０の上端辺が天井２から若干離れた位置までスライドすることで、レジカウンター１内が外部から完全に遮断せず、スクリーンパネル１０と天井２との間に若干の隙間がある態様であってもよい。
【００３０】
ところで、図４に示すように、本発明にかかる店舗レジカウンター防犯システムにおいて、前記起動スイッチ２０を操作した際に、スクリーンパネル１０の上方スライドだけでなく、同時に店舗入口の施錠が為されるシステム構成を採用し得る。すなわち、スクリーンパネル１０によりレジカウンター１が外部から遮断された場合に、強盗は店舗から逃走を図ることが考えられるが、店舗入口も同時に施錠されることで、強盗の逃走を防いで店舗内に留まらせておくことが可能となり、後に警察が駆け付けた際の強盗逮捕に資することとなる。
【００３１】
また、図４に示すように、本発明にかかる店舗レジカウンター防犯システムにおいて、店舗外に警報装置を装備することで、前記起動スイッチ２０を操作した際に、スクリーンパネル１０の上方スライドだけでなく、同時に装備された警報装置を作動させるシステム構成を採用することも可能である。すなわち、警報装置により店舗内に強盗がいることを店舗外にも周知することで、周囲にいる人の注意を喚起すると共に、警察等への通報を促す役割を果たすこととなる。なお、警報装置の具体的構造については特に限定はないが、例えば回転式赤色警告灯や定型句を表示する電光掲示板などが考え得る。
【００３２】
さらに、図４に示すように、本発明にかかる店舗レジカウンター防犯システムにおいて、前記起動スイッチ２０を操作した際に、スクリーンパネル１０のスライドだけでなく、同時に外部へ自動的に通報が為されるシステム構成を採用することも可能である。外部の通報先としては、警察や契約警備会社が考え得る。すなわち、スクリーンパネル１０によりレジカウンター１を外部から遮断して店員の安全を確保した後は、警察への通報が至急に必要であり、強盗が押し入った切迫した状況をいち早く警察等へ通報することで、早期の強盗逮捕や強盗が逃走した場合の二次的被害の防止に資することとなる。
【産業上の利用可能性】
【００３３】
本発明は、コンビニエンスストアやレンタルショップ、銀行、郵便局、病院その他のあらゆる店舗におけるレジカウンター１に採用することが可能であって、スクリーンパネル１０をレジカウンター１から上方に向けスライドさせることで、身体的危害を加えることなく、安全かつ確実にレジカウンター１内を強盗から遮断することができ、強盗被害を未然に防止することが可能である。したがって、本発明にかかる店舗レジカウンター防犯システムの産業上の利用可能性は大であると思料する。
【符号の説明】
【００３４】
１    レジカウンター
２    天井
１０    スクリーンパネル
１２    ガイドレール
１２ａ  スライド溝
２０    起動スイッチ
【図４】
2014117373.tif 000003
【図１】
2014117373.tif 000004
【図２】
2014117373.tif 000005
【図３】
2014117373.tif 000006